(57)【要約】【課題】特定の楽器音を、他の楽器音に影響を与えることなく、且つバランス良く強調することが可能な音声信号処理装置、音声信号処理装置の制御方法およびプログラムを提供する。【解決手段】本発明の音声信号処理装置は、バスドラムのアタック音を強調するための構成要素として、入力された音声信号の低周波数帯域成分を抽出してアタック期間を検出するバスドラム音検出部２２と、バスドラム音検出部２２で検出されたアタック期間において、入力された音声信号の中高周波数帯域成分を増幅して足し込む中高域足し込み部２４と、を備えた。【選択図】図５
2014158103.tif 000002
【特許請求の範囲】
【請求項１】
入力された音声信号の第１の周波数帯域成分を抽出する抽出部と、
抽出した前記音声信号のアタック期間を検出するアタック期間検出部と、
前記アタック期間検出部で検出されたアタック期間において、入力された前記音声信号の第２の周波数帯域成分（但し、第１の周波数帯域成分≠第２の周波数帯域成分）を増幅する増幅部と、を備えたことを特徴とする音声信号処理装置。
【請求項２】
前記第１の周波数帯域成分は、低周波数帯域成分であり、前記第２の周波数帯域成分は、中高周波数帯域成分であることを特徴とする請求項１に記載の音声信号処理装置。
【請求項３】
前記アタック期間検出部は、
抽出した前記音声信号を第１の時定数の第１バンドパスフィルタに通した出力値と、前記第１の時定数より大きい第２の時定数の第２バンドパスフィルタに通した出力値と、に基づいて、前記アタック期間を検出することを特徴とする請求項１または２に記載の音声信号処理装置。
【請求項４】
前記アタック期間検出部は、
前記第１バンドパスフィルタの出力値から前記第２バンドパスフィルタの出力値を差し引いた値が０以上となる期間を、前記アタック期間として検出することを特徴とする請求項３に記載の音声信号処理装置。
【請求項５】
前記増幅部は、
抽出した前記音声信号の信号レベルに応じて、前記第２の周波数帯域成分を増幅することを特徴とする請求項１ないし４のいずれか１項に記載の音声信号処理装置。
【請求項６】
入力された音声信号の第１の周波数帯域成分を抽出する抽出ステップと、
抽出した前記音声信号のアタック期間を検出するアタック期間検出ステップと、
前記アタック期間検出ステップで検出されたアタック期間において、入力された前記音声信号の第２の周波数帯域成分（但し、第１の周波数帯域成分≠第２の周波数帯域成分）を増幅する増幅ステップと、を実行することを特徴とする音声信号処理装置の制御方法。
【請求項７】
コンピューターに、請求項６に記載の音声信号処理装置の制御方法における各ステップを実行させるためのプログラム。
【発明の詳細な説明】
【技術分野】
【０００１】
本発明は、入力された音声信号のうち、特定の周波数帯域成分を強調する音声信号処理装置、音声信号処理装置の制御方法およびプログラムに関するものである。
【背景技術】
【０００２】
従来、この種の技術として、ベースやドラムなど所望の音楽成分を選択して周波数特性を調整する周波数特性調整装置が知られている。例えば特許文献１には、ベースやドラムの音楽成分が存在する１００Hz以下のレベルを検出する第１検出手段と、ボーカルやリードギターの音楽成分が存在する１００Hz以上のレベルを検出する第２検出手段と、第１検出手段および第２検出手段により検出された検出レベルの比に応じて、１００Hz以下の周波数特性を調整する制御手段と、を備えた周波数特性調整装置が開示されている。この構成により、周波数特性を調整したいベースやドラムの音楽成分が比較的大きいときは、低域のブースト量が上がり、周波数特性を調整したくないボーカルやリードギターの音楽成分が比較的大きいときは低域のブースト量が下がるため、ユーザーの意に反して、ベースやドラムと同時にボーカルやリードギターまで強調されてしまうなどの不具合を解消している。
【先行技術文献】
【特許文献】
【０００３】
【特許文献１】特開平１１−１７４８０号公報
【発明の概要】
【発明が解決しようとする課題】
【０００４】
ところで、一般的にバスドラム（キック）等の低音を強調しようとする場合、上記の周波数特性調整装置のように、１００Hz以下の低域成分を増幅して強調する方法がとられる。しかしながら、バスドラムのアタック期間（マレットが打面に当たった瞬間を開始点とした数十msecの期間）には、中高域の高い周波数成分が含まれている。このため、上記の周波数特性調整装置のように、バスドラム音を強調するために１００Hz以下の低域だけを増幅した場合、低音の迫力はでるが、相対的にアタック音が小さく感じられ、アタック感のない、はっきりしない音になってしまう。これを解決するために、中高域の音楽成分も増幅することが考えられるが、一般的に中高域には他の楽器の音楽成分が含まれているため、単純に中高域を増幅すると他の楽器音も強調されてしまい、アタック音の強調効果が薄れてしまう。つまり、従来の技術では、バスドラム音など、比較的広い帯域の音楽性分を有するような楽器音を、他の楽器音に影響を与えることなく、且つバランス良く強調することが困難であった。
【０００５】
本発明は、上記の問題に鑑み、特定の楽器音を、他の楽器音に影響を与えることなく、且つバランス良く強調することが可能な音声信号処理装置、音声信号処理装置の制御方法およびプログラムを提供することを目的とする。
【課題を解決するための手段】
【０００６】
本発明の音声信号処理装置は、入力された音声信号の第１の周波数帯域成分を抽出する抽出部と、抽出した音声信号のアタック期間を検出するアタック期間検出部と、アタック期間検出部で検出されたアタック期間において、入力された音声信号の第２の周波数帯域成分（但し、第１の周波数帯域成分≠第２の周波数帯域成分）を増幅する増幅部と、を備えたことを特徴とする。
【０００７】
本発明の音声信号処理装置の制御方法は、入力された音声信号の第１の周波数帯域成分を抽出する抽出ステップと、抽出した音声信号のアタック期間を検出するアタック期間検出ステップと、アタック期間検出ステップで検出されたアタック期間において、入力された音声信号の第２の周波数帯域成分（但し、第１の周波数帯域成分≠第２の周波数帯域成分）を増幅する増幅ステップと、を実行することを特徴とする。
【０００８】
上記の音声信号処理装置において、第１の周波数帯域成分は、低周波数帯域成分であり、第２の周波数帯域成分は、中高周波数帯域成分であることを特徴とする。
【０００９】
本発明の構成によれば、入力された音声信号の第１の周波数帯域成分のアタック期間を検出し、当該アタック期間において、第１の周波数帯域成分とは異なる第２の周波数帯域成分を増幅するため、例えばバスドラム音を強調したい場合、低周波数帯域成分のアタック期間において、中高周波数帯域成分を増幅することで、他の楽器音に影響を与えることなく、バスドラムのアタック音を強調することができる。また、第２の周波数帯域成分（中高周波数帯域成分）の増幅と共に、第１の周波数帯域成分（低周波数帯域成分）を増幅することで（例えば、イコライザー等による増幅を行うことで）、バスドラム音をバランス良く強調することができる。
なお、第１の周波数帯域成分と第２の周波数帯域成分は、少なくとも範囲の一部が異なれば良い。言い換えれば、第１の周波数帯域成分と第２の周波数帯域成分の一部が重複していても構わない。
また本発明は、バスドラムだけでなく、他の打楽器、または打楽器以外の楽器のアタック音を強調する処理にも適用可能である。ここで「アタック音」とは、楽器の鳴り始めの突発的・衝撃的な音を指す。また、「アタック期間」とは、楽器音の鳴り始めから、特定の周波数帯域成分が一定の値まで下がるまでの期間を指す。
また、アタック期間の検出は、第１の周波数帯域成分のアタック時点（アタック期間の開始点）のみを検出し、アタック時点から一定期間を、アタック期間として規定しても良い。
【００１０】
上記の音声信号処理装置において、アタック期間検出部は、抽出した音声信号を第１の時定数の第１バンドパスフィルタに通した出力値と、第１の時定数より大きい第２の時定数の第２バンドパスフィルタに通した出力値と、に基づいて、アタック期間を検出することを特徴とする。
【００１１】
本発明の構成によれば、例えば振幅エンベロープを閾値と比較し、閾値を超えた時点から溯って極小値を探索し、その位置をアタック時点とするような既知の方法と比較し、アタック期間を正確に検出することができる。つまり、既知の方法では、絶対的な閾値との比較になるため、音声信号の信号レベルがその値を超えない場合、アタック期間を検出することができないが、本発明では、時定数の異なる２種類のバンドパスフィルタを用いてアタック期間を検出するため、信号レベルに影響されることなくアタック期間を確実に検出することができる。
なお、バスドラムのアタック期間を検出する場合は、バンドパスフィルタとしてローパスフィルタを用いることが好ましい。
【００１２】
上記の音声信号処理装置において、アタック期間検出部は、第１バンドパスフィルタの出力値から第２バンドパスフィルタの出力値を差し引いた値が０以上となる期間を、アタック期間として検出することを特徴とする。
【００１３】
本発明の構成によれば、２種類のバンドパスフィルタの出力値から得られる振幅エンベロープの立ち上がりおよび立ち下がりのタイミングの違いを利用して、容易且つ正確にアタック期間を検出することができる。
【００１４】
上記の音声信号処理装置において、増幅部は、抽出した音声信号の信号レベルに応じて、第２の周波数帯域成分を増幅することを特徴とする。
【００１５】
本発明の構成によれば、例えばバスドラム音を強調したい場合など、バスドラム音が大きい部分では強調度を高く、バスドラム音が小さい部分では強調度を低くするため、不要なタイミングでバスドラム音が強調されることを防ぐことができる。
【００１６】
本発明のプログラムは、コンピューターに、上記の音声信号処理装置の制御方法における各ステップを実行させることを特徴とする。
【００１７】
このプログラムを用いることにより、特定の楽器音を、他の楽器音に影響を与えることなく、且つバランス良く強調することが可能な音声信号処理装置の制御方法を実現できる。
【図面の簡単な説明】
【００１８】
【図１】本発明の一実施形態に係る再生システムの構成図である。
【図２】音声信号処理部のブロック図である。
【図３】バスドラムの音声信号波形と、バスドラムのアタック期間の関係を示す図である。
【図４】図３の一部を時間方向に拡大した図である。
【図５】アタック強調処理部の回路構成図である。
【図６】図４に、第１ＬＰＦおよび第２ＬＰＦの出力波形を重畳した図である。
【発明を実施するための形態】
【００１９】
以下、本発明の一実施形態に係る音声信号処理装置、音声信号処理装置の制御方法およびプログラムについて、添付図面を参照しながら詳細に説明する。図１は、本発明の一実施形態に係る再生システムＳＹの構成図である。再生システムＳＹは、音源１、音声信号処理部２、パワーアンプ３およびスピーカー４から成る。なお、同図では簡略化のため、ＬＲ（左信号および右信号）の２チャンネルを１本の線で示している。また、請求項における「音声信号処理装置」は、音声信号処理部２に相当する。
【００２０】
音源１は、音声信号処理部２に対して音声信号を供給するものであり、各種記憶媒体（ＣＤ、ＳＤカード、ＵＳＢメモリ等）、各種電子機器（オーディオプレーヤー、パーソナルコンピューター、タブレット端末、携帯電話等）、各種サーバー（Ｗｅｂ上のサーバー、ＬＡＮネットワーク上のサーバー等）に相当する。
【００２１】
音声信号処理部２は、音源１から供給された音声信号に対し、各種音声処理を行う。特に本実施形態では、バスドラム音の強調処理を行うことにより、ビートの効いた楽曲再生を実現する。また、バスドラム音の強調にあたり、低周波数帯域成分（第１の周波数帯域成分）と中高周波数帯域成分（第２の周波数帯域成分）に分けて音声処理を行う。詳細については、後述する。
【００２２】
パワーアンプ３は、音声信号処理部２による処理後の音声信号を増幅し、スピーカー４を駆動する。また、スピーカー４は、パワーアンプ３の駆動により、音声信号を出力する。なお、パワーアンプ３は、スピーカー４に内蔵しても良い。また、音声信号処理部２は、ＤＳＰ（Digital  Signal  Processor）などのソフトウェアによって実現しても良いし、アナログ機器によって実現しても良い。また、スピーカー４に代えて、ヘッドフォンやイヤフォンを用いても良い。
【００２３】
また、本実施形態の再生システムＳＹは、バスドラム音の強調ニーズの高いＤＪスピーカー、ＤＪミキサー、ＤＪプレーヤー等のＤＪ機器に好適であるが、他の再生システム（ミニコンポ、ヘッドフォンアンプ等）にも適用可能である。
【００２４】
次に、図２を参照し、音声信号処理部２の構成について説明する。音声信号処理部２は、低域強調処理部１０およびアタック強調処理部２０を含む。なお、同図においても、ＬＲの２チャンネルを１本の線で示している。
【００２５】
低域強調処理部１０は、イコライザーを用いた強調処理など、既知の方法により、バスドラム音の低周波数帯域成分を強調する。一方、アタック強調処理部２０は、バスドラムのアタック音が鳴るアタック期間において、中高周波数帯域成分（中域および高域の周波数帯域成分）を強調する。つまり、中高周波数帯域成分についてはアタック期間のみ強調し、低周波数帯域成分については、アタック期間に関係なく強調する。これにより、他の楽器音に影響を与えることなく、且つバランス良くバスドラム音を強調することができる。
【００２６】
ここで、「アタック音」とは、バスドラムのマレットが打面に当たった瞬間の音を指す。また、「アタック期間」とは、バスドラム音の鳴り始めから、バスドラム音の中高周波数帯域成分が一定の値に下がるまでの期間を指す。
【００２７】
図３は、バスドラムの音声信号波形と、バスドラムのアタック期間の関係を示す図である。また、図４は、図３の一部を時間方向に拡大した図である。両図において、横軸は、時間を示し、縦軸は、音声信号の振幅（ゲイン）を示している。また、音声信号波形に重畳表示された符号Ｌ０（図示、太実線）は、バスドラムのアタック期間、すなわちバスドラムのアタック音が強調されるタイミングを示している。当該符号Ｌ０の波形は、アタック強調処理部２０内で、低周波数帯域成分を解析することにより生成され（バスドラム音検出部２２，図５参照）、後述する可変増幅器４３ａ，４３ｂ（中高域足し込み部２４，図５参照）のゲインとして用いられる。このように、アタック強調処理部２０では、低周波数帯域成分からバスドラム音のアタック期間を検出し、そのアタック期間ごとに中高周波数帯域成分を強調する。
【００２８】
図５は、アタック強調処理部２０の回路構成図である。同図に示すように、アタック強調処理部２０は、ＬＲ加算器２１、バスドラム音検出部２２、ディレイ部２３および中高域足し込み部２４を備えている。
【００２９】
ＬＲ加算器２１は、Ｌ信号とＲ信号を加算し、モノラル信号を出力する。また、バスドラム音検出部２２は、音声信号処理部２に入力された音声信号の低周波数帯域成分を解析し、アタック期間を検出する（符号Ｌ０の波形を生成する）。また、中高域足し込み部２４は、バスドラム音検出部２２により検出されたアタック期間において、中高周波数帯域成分を強調する。また、ディレイ部２３は、中高域足し込み部２４の処理に対するバスドラム音検出部２２の処理遅延を補正する。
【００３０】
ここで、バスドラム音検出部２２について詳細に説明する。バスドラム音検出部２２は、バスドラム音検出用の第３ＬＰＦ（ローパスフィルタ）３１、ＡＢＳ３２、時定数１の第１ＬＰＦ３３（第１バンドパスフィルタ）、時定数２の第２ＬＰＦ３４（第２バンドパスフィルタ）、減算器３５、第１リミッタ３６、可変増幅器３７および第２リミッタ３８を備えている。
【００３１】
バスドラム音検出部２２では、まずＬＲ加算器２１から出力された音声信号を、第３ＬＰＦ３１により、バスドラム帯域（例えば、１００Hz以下）に制限する。そして、ＡＢＳ３２で絶対値を算出した後、時定数の異なる２種類のＬＰＦ３３，３４を施すことにより、２種類の出力波形を得る。図６は、この２種類の出力波形（振幅エンベロープ）を、図４に重畳した図である。図６において、符号Ｌ１（図示、細点線）は、第１ＬＰＦ３３の出力波形を示し、符号Ｌ２（図示、細実線）は、第２ＬＰＦ３４の出力波形を示している。
【００３２】
また、第１ＬＰＦ３３の時定数１は、第２ＬＰＦ３４の時定数２よりも小さいことを条件とする。この場合、図６に示すように、バスドラムが鳴った瞬間のような急峻な立ち上がりの部分において、時定数が大きい第２ＬＰＦ３４の出力波形（符号Ｌ２）よりも、時定数が小さい第１ＬＰＦ３３の出力波形（符号Ｌ１）の方が早く立ち上がる。その後、バスドラム音の余韻が小さくなっていくにしたがって、いずれの出力波形も下りに転じるが、この立ち下がりの部分においても、時定数が大きい第２ＬＰＦ３４の出力波形（符号Ｌ２）より、時定数が小さい第１ＬＰＦ３３の出力波形（符号Ｌ１）の方が早く小さくなっていく。このように、時定数の違いにより、第１ＬＰＦ３３の出力波形（符号Ｌ１）が第２ＬＰＦ３４の出力波形（符号Ｌ２）より大きくなる期間が発生する。後段の減算器３５では、それらの差異を検出する。つまり、第１ＬＰＦ３３の出力値≧第２ＬＰＦ３４の出力値となる期間（第１ＬＰＦ３３の出力値が第２ＬＰＦ３４の出力値以上となる時点を開始点とし、その後第１ＬＰＦ３３の出力値が第２ＬＰＦ３４の出力値未満となる時点を終了点とした期間）を、アタック期間として検出する。なお、減算器３５は、デシベル換算での減算を行う。
【００３３】
また、図５に示すように、後段の第１リミッタ３６では、減算器３５の出力値ｘ１が負の値となったとき、０にリミッティングする。さらに、後段の可変増幅器３７では、第１リミッタ３６の出力値を、低周波数帯域成分の信号レベルに応じて増幅する。ここで信号レベルは、第１ＬＰＦ３３の出力値を用いる。つまり、可変増幅器３７では、第１ＬＰＦ３３の出力レベルで、第１ＬＰＦ３３と第２ＬＰＦ３４の差異を示す信号の増幅量を制御する。これにより、バスドラム音が大きいほどアタック期間の強調量が大きく、バスドラム音が小さいほどアタック期間の強調量が小さくなる。
【００３４】
例えば、バスドラムが鳴っておらず、バスドラムと同じ低周波数帯域成分のベースギターのレベル変動があるような場合は、中高周波数帯域成分の足し込みを行いたくない。一般的にベースギターの波形の振幅はバスドラムより小さいので、この可変増幅器３７により抑圧され、中高周波数帯域成分は殆ど強調されなくなる。つまり、バスドラムのような大きな音が入力された時のみ強調され、結果的にバスドラムを選択して増幅するような動作となる。その結果、後述する中高域足し込み部２４により、不要なタイミングで中高周波数帯域成分を足し込んでしまう弊害をなくすことができる。その後、後段の第２リミッタ３８では、可変増幅器３７の出力値ｘ２の最大値を、所定の値βにリミッティングする。これは、楽曲による効果のバラツキを抑えるためである。
【００３５】
次に、中高域足し込み部２４について説明する。中高域足し込み部２４は、時定数が同じ２つのＬＰＦ４１（第４ＬＰＦ４１ａおよび第５ＬＰＦ４１ｂ）、時定数が同じ２つのＨＰＦ（ハイパスフィルタ）４２（第１ＨＰＦ４２ａおよび第２ＨＰＦ４２ｂ）、２つの可変増幅器４３（可変増幅器４３ａおよび可変増幅器４３ｂ）および２つの加算器４５（加算器４５ａおよび加算器４５ｂ）を備えている。
【００３６】
第４ＬＰＦ４１ａおよび第１ＨＰＦ４２ａでは、Ｌ信号の中高周波数帯域成分を抽出する。同様に、第５ＬＰＦ４１ｂおよび第２ＨＰＦ４２ｂでは、Ｒ信号の中高周波数帯域成分を抽出する。可変増幅器４３ａおよび可変増幅器４３ｂは、抽出されたＬ信号およびＲ信号の中高周波数帯域成分をそれぞれ増幅する。これら可変増幅器４３ａ，４３ｂは、バスドラム音検出部２２の出力レベルで増幅量を制御する。つまり、図４，図６に示す符号Ｌ０の波形に基づき、その値が０でない、山形になっているアタック期間だけ、入力された音声信号の中高周波数帯域成分を増幅する。これにより、バスドラムのアタック音に同期した強調を行うことができる。
【００３７】
そして、後段の加算器４５ａおよび加算器４５ｂでは、増幅されたＬ信号およびＲ信号の中高周波数帯域成分を、それぞれ元の信号（Ｌ信号およびＲ信号）に加算する。なお、元の信号は、ディレイ部２３によりディレイ調整されている。つまり、ディレイ部２３では、バスドラム音検出部２２により検出されたアタック期間が、実際強調したいバスドラム音の中高周波数帯域成分が存在している期間より若干遅い時間位置になることを補正すべく、元の信号に対して遅延処理を行う。なお、図４，図６の符号Ｌ０の波形は、実際の時間軸上における強調タイミングに合わせ、このディレイ分左側にシフトして図示している。そして、加算器４５ａ，４５ｂでは、遅延処理後の元の信号に、増幅された中高周波数帯域成分を足し込む。
【００３８】
なお、請求項における「抽出部」は、バスドラム音検出部２２の第３ＬＰＦ３１を主要部とする。また、請求項における「アタック期間検出部」は、バスドラム音検出部２２の第１ＬＰＦ３３、第２ＬＰＦ３４および減算器３５を主要部とする。さらに、請求項における「増幅部」は、バスドラム音検出部２２の可変増幅器３７および第２リミッタ３８、並びに中高域足し込み部２４の可変増幅器４３ａ，４３ｂを主要部とする。
【００３９】
以上説明したとおり、本実施形態のアタック強調処理部２０は、入力された音声信号の低周波数帯域成分の解析結果から検出されたアタック期間に対して中高周波数帯域成分を増幅するため、アタック期間のみ、中高周波数帯域成分を増幅することができる。つまり、バスドラム音の強調処理の一部として、バスドラムのアタックごとに中高周波数帯域成分を増幅するため、他の楽器音に影響を与えることなくアタック音を強調することができる。また、アタック強調処理部２０による処理と共に、低域強調処理部１０による低周波数帯域成分の強調処理を行うため、バスドラム音をバランス良く強調することができる。
【００４０】
また、アタック強調処理部２０では、時定数の異なる２種類のＬＰＦ３３，３４を用いてアタック期間を検出するため、入力された音声信号の信号レベルに影響されることなく、正確なアタック期間を検出することができる。また、中高周波数帯域成分の増幅は、低周波数帯域成分の信号レベルに応じて利得を変化させるため、不要なタイミングで中高周波数帯域成分を足しこんでしまう弊害を防止できる。このように、アタック期間については、信号レベルに関係なく検出し、中高周波数帯域成分の増幅量に関しては、信号レベルに応じて可変することにより、バスドラムのアタック感をより効果的に強調できる。また、アタック期間の検出、中高周波数帯域成分の増幅量制御のいずれについても、中高周波数帯域成分の解析を必要としない（中高周波数帯域成分の音声信号からアタック期間を検出したり、中高周波数帯域成分の信号レベルに応じて増幅量を制御したりしない）点も、本実施形態の特徴である。
【００４１】
なお、以下の変形例を採用可能である。例えば、上記の実施形態では、バスドラム音を強調する場合を例示したが、他の打楽器音、または打楽器以外の楽器音を強調する処理にも適用可能である。また、この場合、アタック期間を検出する帯域（第１の周波数帯域成分）は、低周波数帯域成分に限らない。また、増幅の対象となる帯域（第２の周波数帯域成分）も中高周波数帯域成分に限らない。つまり、楽器音によっては、中高周波数帯域成分の解析結果からアタック期間を検出し、当該アタック期間のみ低周波数帯域成分を増幅する、などの処理も考えられる。但し、バスドラム音の場合など楽器音によっては、アタック期間を検出する帯域と、増幅の対象となる帯域と、が重ならないように（第１の周波数帯域成分と第２の周波数帯域成分が分離するように）設定されることが好ましい。
【００４２】
また、更なる変形例として、楽器音によっては、第１の周波数帯域成分と第２の周波数帯域成分の一部が重複するように設定しても良い。また、第１の周波数帯域成分と第２の周波数帯域成分の帯域を、強調する楽器音ごとに、ユーザーが設定・変更可能としても良い。
【００４３】
また、上記の実施形態では、バスドラム音検出部２２においてアタック期間の開始点および終了点を検出したが、アタック時点（アタック期間の開始点）のみを検出しても良い。また、この場合、検出したアタック時点から一定期間を、アタック期間として規定しても良い。
【００４４】
また、上記の実施形態では、ＬＲ加算器２１によりＬ信号とＲ信号を加算して、バスドラム音検出部２２による検出を行ったが、ＬＲ信号を個別に処理し、アタック期間の検出を行っても良い。この場合、中高域足し込み部２４では、対応するチャンネルの中高周波数帯域成分を足し込むこととなる。
【００４５】
また、上記の実施形態では、中高域足し込み部２４において、ＬＰＦ４１とＨＰＦ４２により抽出した中高周波数帯域成分を利得制御して原信号（元の信号）に足し込む方法を例示したが、イコライザーにより中高周波数帯域成分の利得を制御する方法を用いても良い。
【００４６】
また、上記の実施形態では、アタック強調処理部２０において、ディレイ部２３を備えた構成を例示したが、ディレイ部２３を省略しても良い。この場合、遅延量が小さくなるように、第１ＬＰＦ３３および第２ＬＰＦ３４の時定数を調整することが好ましい。
【００４７】
また、上記の実施形態では、図２に示したように、低域強調処理とアタック強調処理を個別に行うものとしたが、同じ処理回路内で強調処理を行っても良い。例えば、アタック強調処理部２０のディレイ部２３と中高域足し込み部２４の間で、低域強調処理を行っても良い（図５参照）。
【００４８】
また、上記の実施形態および変形例に示した再生システムＳＹ（特に、音声信号処理部２）の各構成要素および各処理工程をプログラムとして提供することが可能である。また、そのプログラムを各種記憶媒体（ＣＤ−ＲＯＭ、フラッシュメモリ等）に格納して提供することも可能である。すなわち、再生システムＳＹの各構成要素または各処理工程を実現するためのプログラム、およびそれを記録した記憶媒体も、本発明の権利範囲に含まれる。
【００４９】
また、上記の実施形態および変形例では、音声信号処理部２（請求項における「音声信号処理装置」）を、再生システムＳＹに適用した場合を例示したが、再生専用装置に限らず、パーソナルコンピューター、タブレット端末、携帯電話またはカーナビゲーション装置など、他の電子機器に適用しても良い。また、音声信号処理部２をＷｅｂ上のサーバーやＬＡＮネットワーク上のサーバーで実現するなど、クラウドコンピューティングに適用しても良い。その他、本発明の要旨を逸脱しない範囲で、適宜変更が可能である。
【符号の説明】
【００５０】
１…音源  ２…音声信号処理部  ３…パワーアンプ  ４…スピーカー  １０…低域強調処理部  ２０…アタック強調処理部  ２１…ＬＲ加算器  ２２…バスドラム音検出部  ２３…ディレイ部  ２４…中高域足し込み部  ３１…第３ＬＰＦ  ３２…ＡＢＳ  ３３…第１ＬＰＦ  ３４…第２ＬＰＦ  ３５…減算器  ３６…第１リミッタ  ３７…可変増幅器  ３８…第２リミッタ  ４１ａ…第４ＬＰＦ  ４１ｂ…第５ＬＰＦ  ４２ａ…第１ＨＰＦ  ４２ｂ…第２ＨＰＦ  ４３…可変増幅器  ４５…加算器  ＳＹ…再生システム
【図１】
2014158103.tif 000003
【図２】
2014158103.tif 000004
【図３】
2014158103.tif 000005
【図４】
2014158103.tif 000006
【図５】
2014158103.tif 000007
【図６】
2014158103.tif 000008